(57)【特許請求の範囲】
【請求項１】
管理装置と再生装置がネットワークを通して接続され、コンテンツを配信・再生する方法であって、
再生装置に関する情報として、再生装置を一意に識別する情報である識別情報と、再生装置の属性を識別する情報である属性情報とを導入し、前記属性情報は、当該再生装置の所有者が属する複数の組織に関する情報とし、再生装置毎に複数持つようにし、
管理装置は、（１）再生装置の識別情報と、該再生装置の複数の属性情報と、該属性情報に対して一対一に発生させた乱数を識別情報で暗号化した暗号化属性情報を一つのグループとして、それぞれ識別情報毎に保持し、（２）属性情報と乱数の対応を保持し、（３）コンテンツごとに、当該コンテンツを一意に識別する情報であるコンテンツ識別情報と、当該コンテンツの暗号鍵と、当該コンテンツを暗号鍵で暗号化した暗号化コンテンツを保持し、
再生装置は、（１）当該再生装置の識別情報を保持し、（２）当該再生装置の属性情報ごとに暗号化属性情報を保持し、
コンテンツ配信時、管理装置は、再生装置から属性情報とコンテンツ識別情報を受信すると、前記属性情報に対応する乱数を取得し、前記コンテンツ識別情報に対応する暗号鍵と暗号化コンテンツを取得し、前記乱数によって前記暗号鍵を暗号化した暗号化暗号鍵を計算して、前記再生装置に対して前記暗号化暗号鍵と前記暗号化コンテンツを送信し、再生装置は、コンテンツ識別情報と属性情報と暗号化暗号鍵と暗号化コンテンツを対応づけて記憶し、
コンテンツ再生時、再生装置は、利用者からコンテンツ識別情報が指示されると、前記コンテンツ識別情報に対応する属性情報と暗号化暗号鍵と暗号化コンテンツを取得し、さらに前記属性情報に対応する暗号化属性情報を取得し、識別情報で前記暗号化属性情報を復号して前記属性情報に対応する乱数を取得し、前記乱数で前記暗号化暗号鍵を復号して暗号鍵を取得し、前記暗号鍵で前記暗号化コンテンツを復号してコンテンツを取得して再生する、
ことを特徴とするコンテンツ配信・再生方法。
【請求項２】
前記再生装置は、あらかじめ識別情報を管理装置に送信することで、管理装置から前記識別情報のグループの属性情報と暗号化暗号鍵を取得して保持する、
ことを特徴とする請求項１記載のコンテンツ配信・再生方法。
【請求項３】
管理装置、再生装置、及びこれら装置を結ぶネットワークからなるコンテンツ配信・再生システムであって、
再生装置に関する情報として、再生装置を一意に識別する情報である識別情報と、再生装置の属性を識別する情報である属性情報とを導入し、前記属性情報は、当該再生装置の所有者が属する複数の組織に関する情報とし、再生装置毎に複数持つようにし、
管理装置は、再生装置の識別情報と、該再生装置の属性情報と、属性情報に対して一対一に発生させた乱数を識別情報で暗号化した暗号化属性情報とを一つのグループとして、それぞれ識別情報ごとに保持する第１記憶手段と、属性情報と乱数の対応を保持する第２記憶手段と、コンテンツごとに、当該コンテンツを一意に識別する情報であるコンテンツ識別情報と、コンテンツの暗号鍵と、コンテンツを当該暗号鍵で暗号化した暗号化コンテンツを保持する第３記憶手段とを具備し、
再生装置は、当該再生装置の識別情報を保持する手段と、当該再生装置の属性情報ごとに暗号化属性情報を保持する第４記憶手段を具備し、
コンテンツ配信時、管理装置は、再生装置から属性情報とコンテンツ識別情報を受信すると、第２記憶手段から前記属性情報に対応する乱数を取得し、第３記憶手段から前記コンテンツ識別情報に対応する暗号鍵と暗号化コンテンツを取得し、前記乱数によって前記暗号鍵を暗号化した暗号化暗号鍵を計算して、前記再生装置に対して前記暗号化暗号鍵と前記暗号化コンテンツを送信し、再生装置は、コンテンツ識別情報と属性情報と暗号化暗号鍵と暗号化コンテンツを対応づけて記憶し（以下、この記憶手段を第５記憶手段と称す）、
コンテンツ再生時、再生装置は、利用者からコンテンツ識別情報が指示されると、第５記憶手段から前記コンテンツ識別情報に対応する属性情報と暗号化暗号鍵と暗号化コンテンツを取得し、第４記憶手段から前記属性情報に対応する暗号化属性情報を取得し、識別情報で前記暗号化属性情報を復号して前記属性情報に対応する乱数を取得し、前記乱数で前記暗号化暗号鍵を復号して暗号鍵を取得し、前記暗号鍵で前記暗号化コンテンツを復号してコンテンツを取得して再生する、
ことを特徴とするコンテンツ配信・再生システム。
【請求項４】
前記再生装置は、あらかじめ識別情報を管理装置に送信することで、管理装置から前記識別情報のグループの属性情報と暗号化暗号鍵を取得して保持する、
ことを特徴とする請求項３記載のコンテンツ配信・再生システム。
【請求項５】
請求項３記載のコンテンツ配信・再生システムに使用される管理装置。
【請求項６】
請求項３記載のコンテンツ配信・再生システムに使用される再生装置。
【発明の詳細な説明】
【技術分野】
【０００１】
本発明は、著作権で保護された音楽、画像、映像、テキストなどのデジタルコンテンツの配信・再生技術分野に関し、特に複数属性による著作権保護を実現するコンテンツ配信・再生技術に関する。
【背景技術】
【０００２】
従来、著作権保護の伴うデジタルコンテンツの配信・再生技術としては、コピーを全く禁止するものや、コピー回数を制限するものが一般的であった。しかし、コピーの全面禁止や回数制限は利便性が極めて悪いものであった。これを改善するため、再生側が、再生装置を一意に識別する装置識別情報を用いて利用者を特定する個人識別情報を暗号化した暗号化個人情報を保持し、コンテンツ配信側は、暗号鍵でコンテンツを暗号化した暗号化コンテンツと個人識別情報で暗号鍵を暗号化した暗号化暗号鍵を再生側に送信し、再生側では、装置識別情報と暗号化個人情報から個人識別情報を得、該個人識別情報と暗号化暗号鍵から暗号鍵を得、該暗号鍵と暗号化コンテンツからコンテンツを復号する技術がある（特許文献１）。この技術によれば、個人識別情報が埋め込まれたメディアもしくは再生装置間ならば無制限かつ簡便にコンテンツをコピーして使用できるが、コンテンツをグループで共有するという使い方はできず、また、一つの端末（再生装置）に複数のグループの属性を与えるという使い方もできない問題がある。
【０００３】
【特許文献１】特開２００２−９９５１４号公報
【発明の開示】
【発明が解決しようとする課題】
【０００４】
本発明は、コンテンツはコピー自由であり、回数制限はなく、また、同じ属性の端末間で一つのコンテンツを共有することができ、また、一つの端末に複数の属性を与えることが可能である、複数属性による著作権保護を実現するコンテンツ配信・再生方法及びシステム、並びにその管理装置、再生装置を提供することにある。
【課題を解決するための手段】
【０００５】
本発明は、管理装置、再生装置、及び、これら装置を結ぶネットワークからなるシステムを想定する。そして、再生装置に関する情報として、再生装置を一意に識別する情報である識別情報と、再生装置の属性を識別する情報である属性情報とを導入し、前記属性情報は、当該再生装置の所有者が属する複数の組織に関する情報とし、再生装置毎に複数持つようにする。
管理装置は、（１）再生装置の識別情報と、該再生装置の複数の属性情報と、該属性情報に対して一対一に発生させた乱数を識別情報で暗号化した暗号化属性情報を一つのグループとして、それぞれ識別情報毎に保持し、（２）属性情報と乱数の対応を保持し、（３）コンテンツごとに、当該コンテンツを一意に識別する情報であるコンテンツ識別情報と、当該コンテンツの暗号鍵と、当該コンテンツを暗号鍵で暗号化した暗号化コンテンツを保持し、再生装置は、（１）当該再生装置の識別情報を保持し、（２）当該再生装置の属性情報ごとに暗号化属性情報を保持する。
コンテンツ配信時、管理装置は、再生装置から属性情報とコンテンツ識別情報を受信すると、前記属性情報に対応する乱数を取得し、前記コンテンツ識別情報に対応する暗号鍵と暗号化コンテンツを取得し、前記乱数によって前記暗号鍵を暗号化した暗号化暗号鍵を計算して、前記再生装置に対して前記暗号化暗号鍵と前記暗号化コンテンツを送信し、再生装置は、コンテンツ識別情報と属性情報と暗号化暗号鍵と暗号化コンテンツを対応づけて記憶する。コンテンツ再生時、再生装置は、利用者からコンテンツ識別情報が指示されると、前記コンテンツ識別情報に対応する属性情報と暗号化暗号鍵と暗号化コンテンツを取得し、さらに前記属性情報に対応する暗号化属性情報を取得し、識別情報で前記暗号化属性情報を復号して前記属性情報に対応する乱数を取得し、前記乱数で前記暗号化暗号鍵を復号して暗号鍵を取得し、前記暗号鍵で前記暗号化コンテンツを復号してコンテンツを取得して再生する。
【０００６】
再生装置は、あらかじめ識別情報を管理装置に送信することで、管理装置から前記識別情報のグループの属性情報と暗号化暗号鍵を取得して保持する。
【０００７】
具体的には、管理装置は、再生装置の識別情報と、該再生装置の複数の属性情報と、属性情報に対して一対一に発生させた乱数を識別情報で暗号化した暗号化属性情報とを一つのグループとして、それぞれ識別情報ごとに保持する第１記憶手段と、属性情報と乱数の対応を保持する第２記憶手段と、コンテンツごとに、当該コンテンツを一意に識別する情報であるコンテンツ識別情報と、コンテンツの暗号鍵と、コンテンツを当該暗号鍵で暗号化した暗号化コンテンツを保持する第３記憶手段とを具備する。再生装置は、当該再生装置の識別情報を保持する手段と、当該再生装置の属性情報ごとに暗号化属性情報を保持する第４記憶手段を具備する。コンテンツ配信時、管理装置は、再生装置から属性情報とコンテンツ識別情報を受信すると、第２記憶手段から前記属性情報に対応する乱数を取得し、第３記憶手段から前記コンテンツ識別情報に対応する暗号鍵と暗号化コンテンツを取得し、前記乱数によって前記暗号鍵を暗号化した暗号化暗号鍵を計算して、前記再生装置に対して前記暗号化暗号鍵と前記暗号化コンテンツを送信し、再生装置は、コンテンツ識別情報と属性情報と暗号化暗号鍵と暗号化コンテンツを対応付けて記憶する（この記憶手段を第５記憶手段と称す）。コンテンツ再生時、再生装置は、利用者からコンテンツ識別情報が指示されると、第５記憶手段から前記コンテンツ識別情報に対応する属性情報と暗号化暗号鍵と暗号化コンテンツを取得し、第４記憶手段から前記属性情報に対応する暗号化属性情報を取得し、識別情報と前記暗号化属性情報から前記属性情報に対応する乱数を取得し、前記乱数と前記暗号化暗号鍵から暗号鍵を取得し、前記暗号鍵と前記暗号化コンテンツからコンテンツを取得して再生する。
【発明の効果】
【０００８】
本発明によれは、コンテンツはコピー自由であり、回数制限はない。また、同じ属性の再生装置（端末）間で一つのコンテンツを共有することができる。また、一つの端末に複数の属性を与えることが可能とになる。
【発明を実施するための最良の形態】
【０００９】
以下、図面を参照して本発明の一実施の形態としての実施例について説明する。
【実施例】
【００１０】
図１は本発明によるコンテンツ配信・再生システムの全体構成図を示す。本システムの構成要素は管理装置１００と再生装置２００であり、これら装置は、インターネット等のネットワーク３００を通して結ばれている。管理装置１００は一種のサーバ装置である。再生装置２００はパソコン、携帯端末、デジタルテレビ、その他、通信機能とマルチメディア再生機能等を備えた装置の総称である。
【００１１】
再生装置２００には、再生装置２００を一意に識別する情報である識別情報が振られている。再生装置２００を識別する識別情報をＳＩＤとする。ＳＩＤは、再生装置２００の中に保存されており（図１において、２１０がこれを示している）、ユーザの操作では、書き換えが不可能であるとする。また、再生装置２００の属性を識別する情報である属性情報をＺＩＤとする。再生装置２００の属性とは、例えば再生装置の所有者が属する組織などがそうであり、組識などの名称と一対一にＺＩＤが振られている。図２に属性の一例を示す。
【００１２】
なお、以下の説明では、Ｅｎｃ（Ｘ，Ｙ）はＸを暗号鍵としてＹを暗号化することを表し、Ｄｅｃ（Ｘ，Ｙ）はＸを復号鍵としてＹを復号化することを表すものとする。
【００１３】
管理装置１００はデータベースＤＢ（１）１１０、ＤＢ（２）、ＤＢ（３）１３０を具備する。ＤＢ（１）１１０は、各再生装置の識別情報とその属性情報などを保持し、ＤＢ（２）１２０は、再生装置の所有者が属する組識などに関する情報と属性情報との対応を保持し、ＤＢ（３）１３０はコンテンツに関する情報を保持する。
【００１４】
図３はＤＢ（１）１１０の構成例を示している。本実施例では、ＤＢ（１）１１０は、各再生装置のＳＩＤ毎に、それぞれＺＩＤと暗号化属性情報であるＥｎｃ（ＳＩＤ，ｒ）を保持している。Ｅｎｃ（ＳＩＤ，ｒ）については後述する。図３の例では、例えば、日本株式会社営業部（ＺＩＤ：Ｚ１１１１１）の人が、ＳＩＤがＴＯＳ１１１１１とＳＯＭ２２２２２の再生装置を所有しており、また、藤山家（ＺＩＤ：Ｚ３３３３３）が、ＳＩＤがＴＯＳ１１１１１とＮＥＤ３３３３３の再生装置を所有していることを表している。一つの再生装置に対して同時に複数の属性ができるのは、例えば、あるノートパソコンを家で使用したり、会社などで使用したりする場合があるからである。このＤＢ（１）１１０は、あらかじめ再生装置からＳＩＤとＺＩＤを受信することで作成される（初期登録）。
【００１５】
図４はＤＢ（２）１２０の構成例を示している。本実施例では、ＤＢ（２）１２０は、再生装置の所有者が属する組識などの名称とそのＺＩＤと乱数ｒの対応を保持している。乱数ｒは、管理装置１００において各ＺＩＤに対して１対１に発生させて付加したものである。管理装置１００では、このＤＢ（２）１２０のＺＩＤとｒを元に図３に示すように、ＤＢ（１）１１０内の各ＳＩＤにおけるＺＩＤの暗号化属性情報（暗号化属性情報）として、ＺＩＤに対応する乱数ｒをＳＩＤで暗号化したＥｎｃ（ＳＩＤ，ｒ）を作成する。
【００１６】
図５はＤＢ（３）１３０の構成例を示している。ＤＢ（３）１３０は、各コンテンツに関する情報として、当該コンテンツを一意に識別するコンテンツＩＤ（ＣＩＤ）、当該コンテンツの暗号鍵Ｋ、暗号化コンテンツＥｎｃ（Ｋ，Ｃ）を保持している。Ｅｎｃ（Ｋ，Ｃ）はコンテンツＣを暗号化鍵Ｋで暗号化したものであり、管理装置１００があらかじめ作成して、コンテンツＩＤ（ＣＩＤ）と暗号鍵ＫとともにＤＢ（３）１３０に保持しておく。
【００１７】
再生装置２００は、当該再生装置の識別情報ＳＩＤ２１０を保持するとともに，データベースＤＢ（４）２２０、ＤＢ（５）２３０を具備する。ＤＢ（４）２２０は、当該再生装置２００の属性情報などを保持し、ＤＢ（５）２３０は管理装置１００からダウンロードしたコンテンツに関する情報を保持する。
【００１８】
図６はＤＢ（４）２２０の構成例を示している。本実施例では、ＤＢ（４）２２０は、当該再生装置２００の各ＺＩＤとその暗号化情報Ｅｎｃ（ＳＩＤ，ｒ）の対応を保持している。図６は、図３におけるＳＩＤがＴＯＳ１１１１１の再生装置内の例であり、該再生装置の属性は、日本株式会社営業部（ＺＩＤ：Ｚ１１１１１）と英会話学校ＨＤＹ（ＺＩＤ：Ｚ２２２２２）と藤山家（ＺＩＤ：Ｚ３３３３３）であることを示している。再生装置２００が、あらかじめＳＩＤを管理装置１００に送ることで、管理装置１００から該ＳＩＤに対応するＺＩＤとＥｎｃ（ＳＩＤ，ｒ）を取得してＤＢ（４）２２０を作成する。
【００１９】
図７はＤＢ（５）２３０の構成例を示している。本実施例では、ＤＢ（５）２３０は、管理装置１００からダウンロードしたコンテンツに関する情報として、各コンテンツ対応に、ＣＩＤとＺＩＤとＥｎｃ（ｒ，Ｋ）とＥｎｃ（Ｋ，Ｃ）を保持している。図７は、図６と同じＳＩＤがＴＯＳ１１１１１の再生装置内の例を示したものである。後述するように、このＤＢ（５）２３０の内容はコンテンツダウンロード毎に作成される。
【００２０】
以下、本コンテンツ配信・再生システムにおけるコンテンツダウンロード時（コンテンツ配信時）とコンテンツ再生時の動作について説明する。
【００２１】
＜コンテンツダウンロード＞
図８にコンテンツダウンロード時（コンテンツ配信時）における管理装置１００と再生装置２００の処理フローチャートを示す。
【００２２】
コンテンツダウンロード時（コンテンツ配信時）、コンテンツ購入者である利用者は、再生装置２００から管理装置１００に対して、当該再生装置の属性情報ＺＩＤとコンテンツＩＤ（ＣＩＤ）を送信する（ステップ２００１）。再生装置２００は、この時点で待機状態に入る（ステップ２００２）。
【００２３】
管理装置１００は、再生装置２００からＺＩＤとＣＩＤを受信すると（ステップ１００１）、データベースＤＢ（２）１２０（図４）を参照して、ＺＩＤに対応する乱数ｒを取得する（ステップ１００２）。また、管理装置１００は、データベースＤＢ（３）１３０（図５）を参照して、ＣＩＤに対応する暗号鍵Ｋと暗号化コンテンツＥｎｃ（Ｋ，Ｃ）を取得する（ステップ１００３）。次に、管理装置１００は、ＣＩＤに対応する暗号鍵ＫをＺＩＤに対応する乱数ｒで暗号化した暗号化暗号鍵Ｅｎｃ（ｒ，Ｋ）を計算し（ステップ１００４）、再生装置２００に対してＣＩＤ、ＺＩＤ、Ｅｎｃ（ｒ，Ｋ）及びＥｎｃ（Ｋ，Ｃ）を送信する（ステップ１００５）。
【００２４】
再生装置２００は、管理装置１００からＣＩＤ、ＺＩＤ、Ｅｎｃ（ｒ，Ｋ）及びＥｎｃ（Ｋ，Ｃ）を受信すると（ステップ２００３）、該受信したデータをデータベースＤＢ（５）２３０に記憶する（ステップ２００４）。先に述べたように、図７は、ＳＩＤがＴＯＳ１１１１１の再生装置におけるデータベースＤＢ（５）２３０のデータ例を示したものである。
【００２５】
＜コンテンツ再生＞
図９にコンテンツ再生時における再生装置２００の処理フローチャートを示す。
利用者はコンテンツＩＤ（ＣＩＤ）を入力し、再生したいコンテンツを指定する（ステップ２１０１）。再生装置２００は、データベースＤＢ（５）２３０（図７）を参照して、入力されたＣＩＤに対応するＺＩＤを取得し（ステップ２１０２）、データベースＤＢ（４）２２０（図６）より、該ＺＩＤに対応する暗号化属性情報Ｅｎｃ（ＳＩＤ，ｒ）を読み出す（ステップ２１０３）。次に、再生装置２００は、当該再生装置２００の識別情報ＳＩＤ２１０を取得して（ステップ２１０４）、Ｄｅｃ（ＳＩＤ，Ｅｎｃ（ＳＩＤ，ｒ））を計算し、ＺＩＤに対応の乱数ｒを得る（ステップ２１０５）。次に、再生装置２００は、データベース２３０（図７）より、入力されたＣＩＤに対応する暗号化暗号鍵Ｅｎｃ（ｒ，Ｋ）を読み出し（ステップ２１０６）、Ｄｅｃ（ｒ，Ｅｎｃ（ｒ，Ｋ））を計算して暗号鍵Ｋを得る（ステップ２１０７）。
【００２６】
再生装置２００は、次に、データベース２３０（図７）より、入力されたＣＩＤに対応する暗号化コンテンツＥｎｃ（Ｋ，Ｃ）を読み出し（ステップ２１０８）、Ｄｅｃ（Ｋ，Ｅｎｃ（Ｋ，Ｃ））を計算して、入力されたＣＩＤに対応するコンテンツＣを復号する（ステップ２１０９）。再生装置２００は、このコンテンツＣを再生し、利用者に提示する（ステップ２１１０）。
なお、ステップ２１０２において、ＤＢ（５）２３０から、当該ＣＩＤに対応するＺＩＤとともにＥｎｃ（ｒ，ｋ）、Ｅｎｃ（Ｋ，Ｃ）を一緒に読み出しておいてもよい。この場合、ステップ２１０６、２１０８を省略できる。
【００２７】
いま、再生装置２００のＳＩＤがＴＯＳ１１１１１とし、データベースＤＢ（４）２２０、ＤＢ（５）２３０のデータが図６、図７とする。利用者がコンテンツＩＤ（ＣＩＤ）として、例えばＣ１１１１１を指定すると、再生装置２００は、ステップ２１０２にてＤＢ（５）２３０からＺＩＤとしてＺ２２２２２を取得し、ステップ２１０３にてＤＢ（４）２２０からＥｎｃ（ＳＩＤ，ｒ）としてＴＯＳｘＲ２２２２２を読み出し、ステップ２１０５にて当該再生装置２２０のＳＩＤ（ＴＯＳ１１１１１）を元にＤｅｃ（ＳＩＤ，Ｅｎｃ（ＳＩＤ，ｒ））を計算して、乱数ｒとしてＲ２２２２２を得る。また、再生装置２００は、ステップ２１０６にて、ＣＩＤ（Ｃ１１１１１）を元にＤＢ（５）２３０からＥｎｃ（ｒ，Ｋ）としてＲ２２２２２ｘＫ１１１１１を読み出し、ステップ２１０７にてＤｅｃ（ｒ，Ｅｎｃ（ｒ，Ｋ）を計算して、暗号鍵ＫとしてＫ１１１１１を得る。次に、再生装置２００は、ステップ２１０８にて、ＣＩＤ（Ｃ１１１１１）を元にＤＢ（５）２３０からＥｎｃ（Ｋ，Ｃ）としてＥＥ１１１１１を読み出し、ステップ２１０９にてＤｅｃ（Ｋ，Ｄｅｃ（Ｋ，Ｃ））を計算して、コンテンツＩＤ（ＣＩＤ）がＣ１１１１１のコンテンツを復号し、ステップ２１１０にて当該コンテンツを再生する。
【００２８】
ここで、会社の同僚や家族など、当該再生装置の属性が等しい人のマシンへ、暗号化コンテンツをコピーした場合を考える。この場合、コピー先のマシンも、その属性情報が同じならば、ステップ２１０１〜２１０５の過程で同じ乱数ｒが取得されるので、コンテンツの再生が可能となる。
【００３０】
なお、図１で示したシステムの管理装置１００や再生装置２００における一部もしくは全部の処理機能をコンピュータのプログラムで構成し、そのプログラムをコンピュータを用いて実行して本発明を実現することができること、あるいは、図８や図９で示した処理手順をコンピュータのプログラムで構成し、そのプログラムをコンピュータに実行させることができることは言うまでもない。また、コンピュータでその処理機能を実現するためのプログラム、あるいは、コンピュータにその処理手順を実行させるためのプログラムを、そのコンピュータが読み取り可能な記録媒体、例えば、ＦＤ、ＭＯ、ＲＯＭ、メモリカード、ＣＤ、ＤＶＤ、リムーバブルディスクなどに記録して、保存したり、提供したりすることができるとともに、インターネット等のネットワークを通してそのプログラムを配布したりすることが可能である。
【図面の簡単な説明】
【００３１】
【図１】本発明によるコンテンツ配信・再生システムの全体構成図である。
【図２】再生装置の属性の一例を示す図である。
【図３】管理装置内のデータベースＤＢ（１）の一例を示す図である。
【図４】管理装置内のデータベースＤＢ（２）の一例を示す図である。
【図５】管理装置内のデータベースＤＢ（３）の一例を示す図である。
【図６】管理装置内のデータベースＤＢ（４）の一例を示す図である。
【図７】管理装置内のデータベースＤＢ（５）の一例を示す図である。
【図８】コンテンツダウンロード時の管理装置と再生装置の処理フローチャートである。
【図９】コンテンツ再生時の再生装置の処理フローチャートである。
【符号の説明】
【００３２】
１００  管理装置
１１０、１２０、１３０  データベース
２００  再生装置
２１０  再生装置識別情報
２２０、２３０  データベース
３００  ネットワーク
【図１】
0004663242.tif 000002
【図２】
0004663242.tif 000003
【図３】
0004663242.tif 000004
【図４】
0004663242.tif 000005
【図５】
0004663242.tif 000006
【図６】
0004663242.tif 000007
【図７】
0004663242.tif 000008
【図８】
0004663242.tif 000009
【図９】
0004663242.tif 000010